(57)【要約】【課題】  含水ゲル層の粘着性や粘着シートの固定力だけでは、運動時や発汗時に冷却シートが剥がれてしまう。【解決手段】  含水ゲルを含む冷却手段と、冷却手段を冷却部へ貼付ける貼付手段とを備えた本体部を有する冷却シートであって、本体部を被冷却部へ固定する固定手段をさらに備えることにより、冷却シートを被冷却部に確実に固定することができる。【選択図】図１
2009072383.tif 000002
【特許請求の範囲】
【請求項１】
含水ゲルを含む冷却手段と、
該冷却手段を被冷却部へ貼付ける貼付手段と、
を備えた本体部からなる冷却シートであって、
本体部を前記被冷却部へ固定する固定手段を
さらに備えることを特徴とする冷却シート。
【請求項２】
前記固定手段が前記被冷却部の周囲に巻き付けられることを特徴とする、
請求項１に記載の冷却シート
【請求項３】
前記固定手段は伸縮性を有することを特徴とする
請求項１または請求項２に記載の冷却シート
【請求項４】
前記固定手段は透湿性を有することを特徴とする
請求項１から３のいずれかに記載の冷却シート
【請求項５】
前記本体部を前記固定手段へ固定する固定補助手段をさらに備えることを特徴とする
請求項１から請求項４のいずれかに記載の冷却シート
【請求項６】
前記固定補助手段は、冷却手段を挟んで前記貼付手段と反対側に配置されることを特徴とする
請求項５に記載の冷却シート
【請求項７】
前記貼付手段および前記固定補助手段は面状であることを特徴とする
請求項５または請求項６に記載の冷却シート
【請求項８】
前記固定補助手段は透湿性を有することを特徴とする
請求項５から請求項７のいずれかに記載の冷却シート
【発明の詳細な説明】
【技術分野】
【０００１】
本発明は、人体や生鮮食品などの被冷却部に貼り付けて冷却する、冷却シートに関する。
【背景技術】
【０００２】
この種の冷却シートとして、ゲル層に含まれる水分の蒸発潜熱を利用して被冷却部を冷却するものが近年開発され、各社から種々の製品が発売されている。
【０００３】
被冷却部へ冷却シートを固定する手段としては、特許文献１に示されるように、含水ゲル層の粘着性を利用するものや、特許文献２に示されるように、粘着シートを用いるものがある。
【特許文献１】特開２００６−９５２００号公報
【特許文献２】特開２００７−２９６０７号公報
【発明の開示】
【発明が解決しようとする課題】
【０００４】
しかし、特許文献１および２に示されるような冷却シートの固定手段には、次のような問題がある。すなわち、これらの冷却シートは主として病気の発熱時に使用されるものであるが、発熱による発汗や寝返りにより冷却シートが剥がれてしまう。さらには、これらの冷却シートは手軽に冷感が得られるため、厚さ対策としてウォーキングや野外コンサート時に用いられるが、これらの場合には発汗と振動のため、上記の問題はより顕著である。本発明はこれらの課題を解決することを目的とする。
【課題を解決するための手段】
【０００５】
第１発明に係る冷却シートは、含水ゲルを含む冷却手段と、冷却手段を被冷却部へ貼付ける貼付手段と、を備えた本体部からなる冷却シートであって、本体部を被冷却部へ固定する固定手段をさらに備える。
【０００６】
第２発明に係る冷却シートは、第１発明に係る冷却シートであって、固定手段が被冷却部の周囲に巻き付けられることを特徴とする。
【０００７】
第３発明に係る冷却シートは、第１発明または第２発明に係る冷却シートであって、固定手段は伸縮性を有する。
【０００８】
第４発明に係る冷却シートは、第１発明から第３発明のいずれかに係る冷却シートであって、固定手段は透湿性を有する。
【０００９】
第５発明に係る冷却シートは、第１発明から第４発明のいずれかに係る冷却シートであって、本体部を固定手段へ固定する固定補助手段をさらに備える。
【００１０】
第６発明に係る冷却シートは、第５発明に係る冷却シートであって、固定補助手段は冷却手段を挟んで前記貼付手段と反対側に配置される。
【００１１】
第７発明に係る冷却シートは、第５発明または第６発明に係る冷却シートであって、固定補助手段は面状である。
【００１２】
第８発明に係る冷却シートは、第５発明から第７発明のいずれかに係る冷却シートであって、固定補助手段は透湿性を有することを特徴とする。
【発明の効果】
【００１３】
第１発明によれば、以下の優れた効果を有する。冷却手段を冷却部へ貼付ける貼付手段に加えて、本体部を被冷却部へ固定する固定手段をさらに備えるため、確実に本冷却シートを被冷却部へ固定することができ、本冷却シートが被冷却部から剥がれることがない。
【００１４】
第２発明によれば、第１発明が奏する効果に加えて以下の優れた効果を有する。固定手段が被冷却部の周囲に巻き付けられるため、より確実に本冷却シートを被冷却部へ固定することができ、本冷却シートが被冷却部から剥がれることがない。
【００１５】
第３発明によれば、以下の優れた効果を有する。固定手段が伸縮性を有するため、本体部を被冷却部に密着させて固定することができ、冷却部と本冷却シートがずれることがない。
【００１６】
第４発明によれば、以下の優れた効果を有する。固定手段は透湿性を有するため、冷却手段に含まれる含水ゲルからの水分の蒸発を妨げることがない。これにより、冷却性能を保ちつつ、被冷却部に確実に固定できる冷却シートを実現できる。
【００１７】
第５発明によれば、以下の優れた効果を有する。本体部を固定手段へ固定する固定補助手段をさらに備えるため、固定手段が本体部を単に覆っている場合に比べ、本体部と固定手段が一体化する。そのため、本冷却シートの被冷却部への固定が一層確実かつ強固になり、本冷却シートが被冷却部から剥がれることがない。
【００１８】
第６発明によれば、以下の優れた効果を有する。固定補助手段は、冷却手段を挟んで前記貼付手段と反対側に配置されるため、冷却手段は両側から保持される。これにより、ゲルの軟質性に起因する、被冷却部の動き・振動による本冷却シートの移動距離が小さくなるから、確実に被冷却部に固定でき、本冷却シートの被冷却部からのずれを防止することができる。
【００１９】
第７発明によれば、以下の優れた効果を有する。貼付手段および固定補助手段は面状であるため、冷却手段が被冷却部および固定手段に当接する面積が大きくなる。そのため、冷却手段の固定力が大きくなり、本冷却シートの被冷却部からのずれを防止することができる。
【００２０】
第８発明によれば、以下の優れた効果を有する。固定補助手段は透湿性を有するため、冷却手段に含まれる含水ゲルからの水分の蒸発を妨げることがない。これにより、冷却性能を保ちつつ、被冷却部に確実に固定できる冷却シートを実現できる。
【発明を実施するための最良の形態】
【００２１】
以下、本発明の実施の形態について添付図面を参照して説明する。図１は、本発明の一実施形態に係る冷却シートの概略図であり、図２は、図１に示す冷却シートの断面図である。図３は、図１に示す冷却シートの使用状態を示す図である。
【００２２】
図１に示すように、冷却シート１は、本体部２と固定手段３から構成されている。図２に示すように、本体部２は、支持体２１、含水ゲル層２２、貼付面２３、固定補助手段２４から構成されている。支持体２１の一方の面には冷却手段である含水ゲル層２２が配置され、他方の面には固定補助手段２４が配置される。含水ゲル層２２の面のうち、支持体２１と反対側の面が貼付手段である貼付面２３であって、図３に示される被冷却部４へ貼付けられる。本体部２は、固定補助手段２４によって固定手段３へ固定される。図３に示すように、固定手段３は被冷却部４である人体頭部に巻き付けられ、頭部後背にて固定手段３の端部が結び合わされることにより、冷却シート１は被冷却部４へ固定される。
【００２３】
固定手段３は、薄い帯体であって、被冷却部に巻き廻すのに適した幅、長さに形成される。たとえば被冷却部として人間の額を対象とする場合には、幅７ｃｍ、長さ８０ｃｍ程度に形成される。固定手段３の材質は、伸縮性、透湿性のある柔らかなタオル生地の布が用いられる。
【００２４】
支持体２１は、シート状の基材であって、冷却する対象に応じた大きさで矩形状に形成される。支持体２１には、含水ゲル層２２からの水分の蒸発が阻害されないように、透湿性や通気性を有する不繊布が用いられる。
【００２５】
含水ゲル層２２は、支持体２１の表面のほぼ全面に、層状に形成される。冷却シート１による被冷却部４の冷却は、含水ゲル層２２から水分が蒸発する際に気化熱が奪われることによりなされる。含水ゲルには、多くの水を含有しながらも、自己保形性及び接着性を備える、例えばトラガントガム、カラヤガム、アラビアガム、アルギン酸ナトリウム、マンナン、ゼラチン、ペクチンなどの天然水溶性高分子、またはポリビニルアルコール（ＰＶＡ）、ポリアクリル酸やその塩、カルボキシビニルポリマー（ＣＶＰ）等の合成高分子等から調製される含水ゲルを用いる。含水ゲルの含水率としては、高い冷却効果と十分に長い効果持続時間が得られるようにするため、６５重量％以上が好ましく、より好ましくは９０〜９９重量％のものを用いる。含水ゲルは上記の通り粘着性を有するため、貼付面２３によって被冷却部４へ貼付けることができる。
【００２６】
固定補助手段２４はシリコン系粘着剤などの透湿性を有する公知の粘着剤からなり、支持体２１の面のうち含水ゲル層２２と反対側の面に、ほぼ全面に面状に形成される。
【００２７】
このように構成された冷却シート１は、上述したゲル化剤や他の公知の添加剤を精製水に順次混合し、底部に支持体２１を敷いた成形型内に流し込み、８０〜９０℃で加熱後に冷却して含水ゲル層２２を形成した後、成形型から取りだし、固定補助手段２４を塗布し、固定手段３に貼付けることにより、製造することができる。
【００２８】
＜変形例＞
固定手段３はゴムひもであってもよい。ゴムひも３１がの両端部が本体部２に取付けられて環状になっている。この変形例では固定手段３がひも状であるため、帯状の布に比べ、装着時に目立たず、邪魔になりにくい。またゴムひも３１の両端部が予め本体部２に取付けられて環状になっているため、被冷却部４への密着性が良くなり、固定のために結びつける手間が省ける。
【００２９】
固定手段３の材質は特に限定されず、綿、麻、絹などの布の他、ナイロン樹脂、、ポリエステル樹脂、シリコン樹脂等を用いることもできる。固定手段に樹脂を用いる場合は、少なくとも本体部２に接する部位はメッシュ加工等により、透湿性を持たせることが望ましい。
【００３０】
固定補助手段２４は面状の他、格子状や線状、点状に設けることができる。この場合、含水ゲル層２２を保持する効果は弱まるが、含水ゲルからの水分の蒸発を促進し、冷却能力を高めることができる。
【００３１】
また、固定補助手段２４には、アクリル系、ゴム系等の公知の粘着剤や、公知の両面テープ等を用いることができる。これらは透湿性を有しないが、上記のように格子状や線状、点状とすることで固定補助手段２４が透湿性を備えることができる。
【図面の簡単な説明】
【００３２】
【図１】本発明の一実施形態に係る冷却シートの概略図である。
【図２】図１に示す冷却シートの断面図である。
【図３】図１に示す冷却シートの使用状態を示す図である。
【図４】本発明の他の実施形態に係る冷却シートの使用状態を示す図である。
【符号の説明】
【００３３】
１    冷却シート
２    本体部
２１  支持体
２２  含水ゲル層
２３  貼付面
２４  固定補助手段
３    固定手段
３１  ゴムひも
４    被冷却部
【図１】
2009072383.tif 000003
【図２】
2009072383.tif 000004
【図３】
2009072383.tif 000005
【図４】
2009072383.tif 000006